(57)【要約】【課題】スロット内の径方向の導体本数を奇数にすることが可能であり、回転電機の要求特性に応じてコイルの巻数（ターン数）を任意に設定することが容易な設計自由度が高い回転電機用電機子を実現する。【解決手段】コイル２０は、複数の互いに異なる相の相コイルを備え、同層配置セグメント導体４０ａは、導体辺部がスロット底面３ａに隣接して配置され、各相コイルの同層配置セグメント導体４０ａの渡り部一方部分５２ａは、各相コイルの同層配置セグメント導体４０ａの渡り部他方部分５２ｂに対して径方向Ｒ反界磁側にオフセットするオフセット領域９０を備えるとともに、当該オフセット領域９０で他相の相コイルにおける同層配置セグメント導体４０ａの渡り部他方部分５２ｂに対して周方向Ｃに重複して配置されている。【選択図】図４
2011193600.tif 000002
【特許請求の範囲】
【請求項１】
円筒状のコア基準面の軸方向に延びるスロットが当該コア基準面の周方向に複数分散配置されてなる電機子コアと、前記電機子コアに巻装されるコイルと、を備え、界磁に対して前記コア基準面の径方向に対向配置されて当該界磁とともに回転電機を構成する回転電機用電機子であって、
前記コイルは、複数の互いに異なる相の相コイルを備え、各相コイルは複数のセグメント導体を接合して構成され、
前記セグメント導体は、互いに異なる前記スロット内にそれぞれ配置される一対の導体辺部と、前記電機子コアの軸方向外側において前記一対の導体辺部の一端同士を接続する連続渡り部と、前記一対の導体辺部のそれぞれの他端から前記電機子コアの軸方向外側に延出する一対の延出部と、を連続導体で形成してなり、
前記コア基準面の径方向における前記界磁側を径方向界磁側とするとともに前記界磁とは反対側を径方向反界磁側として、前記スロットは、前記径方向反界磁側の壁面であるスロット底面を有し、
前記セグメント導体のそれぞれの前記連続渡り部における周方向中間位置よりも周方向一方側部分を渡り部一方部分、周方向他方側部分を渡り部他方部分とし、
前記一対の導体辺部が異なる前記スロット内において互いに同じ径方向位置に配置される前記セグメント導体を同層配置セグメント導体とし、
前記同層配置セグメント導体は、前記導体辺部が前記スロット底面に隣接して配置され、
前記各相コイルの前記同層配置セグメント導体の前記渡り部一方部分は、前記各相コイルの前記同層配置セグメント導体の前記渡り部他方部分に対して径方向反界磁側にオフセットするオフセット領域を備えるとともに、当該オフセット領域で他相の前記相コイルにおける前記同層配置セグメント導体の前記渡り部他方部分に対して周方向に重複して配置されている回転電機用電機子。
【請求項２】
前記コイルは、前記各スロット内において前記導体辺部が径方向にｍ個（ｍ：３以上の奇数）配列されたｍ層巻構造とされ、
前記一対の導体辺部が異なる前記スロット内において互いに隣接する層となるように配置される前記セグメント導体を隣接層配置セグメント導体とし、
前記各スロット内における最も前記径方向反界磁側の層には前記同層配置セグメント導体の前記導体辺部が配置され、それ以外の層には前記隣接層配置セグメント導体の前記導体辺部が配置されている請求項１に記載の回転電機用電機子。
【請求項３】
前記同層配置セグメント導体の前記渡り部一方部分は、径方向におけるいずれか一方側から見て、周方向他方側へ向かうに従って軸方向における前記電機子コアから離間する側へ向かう一方側周方向延在部を備え、
前記同層配置セグメント導体の前記渡り部他方部分は、径方向におけるいずれか一方側から見て、周方向一方側へ向かうに従って軸方向における前記電機子コアから離間する側へ向かう他方側周方向延在部を備え、
前記一方側周方向延在部の少なくとも一部が、前記オフセット領域とされており、
前記各相コイルの前記同層配置セグメント導体は、前記一方側周方向延在部における前記オフセット領域が、径方向におけるいずれか一方側から見て、他相の前記相コイルにおける前記同層配置セグメント導体の前記他方側周方向延在部に対して交差するように配置されている請求項１又は２に記載の回転電機用電機子。
【請求項４】
前記同層配置セグメント導体の前記渡り部一方部分は、周方向一方側に接続されている前記導体辺部と同じ周方向位置に、前記一方側周方向延在部を当該導体辺部に対して前記径方向反界磁側にオフセットするオフセット屈曲部を備え、
前記同層配置セグメント導体の前記連続渡り部は、当該連続渡り部の周方向中間位置に、径方向位置及び延在方向の双方が互いに異なる前記一方側周方向延在部と前記他方側周方向延在部とを接続する変向オフセット屈曲部を備えている請求項３に記載の回転電機用電機子。
【請求項５】
前記各相コイルは、互いに異なる前記スロットにそれぞれ配置された前記導体辺部から延出する前記延出部同士を接合してなる接合渡り部を前記電機子コアの軸方向外側に有し、
前記接合渡り部を構成する一対の前記延出部の内の周方向第一方向側に位置するものを第一方向側延出部、当該周方向第一方向側とは反対側の周方向第二方向側に位置するものを第二方向側延出部とし、
前記各相コイルの前記同層配置セグメント導体の前記第一方向側延出部は、前記各相コイルの前記同層配置セグメント導体の前記第二方向側延出部に対して径方向反界磁側にオフセットするオフセット領域を備えるとともに、当該オフセット領域で他相の前記相コイルにおける前記同層配置セグメント導体の前記第二方向側延出部に対して周方向に重複して配置され、
前記同層配置セグメント導体の前記第一方向側延出部と、同相の前記相コイルにおける他の前記同層配置セグメント導体の前記第二方向側延出部と、のそれぞれの接合面同士が互いに径方向に対向して接合されることで、各相の波巻状コイル部が形成されている請求項１から４のいずれか一項に記載の回転電機用電機子。
【発明の詳細な説明】
【技術分野】
【０００１】
本発明は、円筒状のコア基準面の軸方向に延びるスロットが当該コア基準面の周方向に複数分散配置されてなる電機子コアと、前記電機子コアに巻装されるコイルと、を備え、界磁に対して前記コア基準面の径方向に対向配置されて当該界磁とともに回転電機を構成する回転電機用電機子に関する。
【背景技術】
【０００２】
回転電機用電機子においてコイルの占積率を高めるために、Ｕ字状に形成された平角線（断面形状が矩形の線状導体）のセグメント導体の導体辺部を電機子コアのスロット内に規則的に配置し、異なるセグメント導体の延出部同士を接合してコイルを形成する技術が既に知られている（例えば、下記の特許文献１参照）。この特許文献１に記載の構成では、当該文献の図３、図４に示されるように、セグメント導体３０の渡り部にクランク形状部３２を形成することで、コイルエンド部におけるセグメント導体の整列に関する精度の向上を図っている。
【先行技術文献】
【特許文献】
【０００３】
【特許文献１】特開２００３−１８７７８号公報（段落〔００１３〕〜〔００１５〕、図３、図４等）
【発明の概要】
【発明が解決しようとする課題】
【０００４】
しかしながら、上記特許文献１に記載の構成では、クランク形状部が導体１本分の幅だけ径方向にずれるように形成されていること及び図１や図４の内容より明らかなように、セグメント導体の一対の導体辺部は、電機子コアの異なるスロット内において径方向位置が導体１本分だけ互いにずれた位置に配置される。そのため、上記特許文献１に記載の構成では、スロット内において径方向に並ぶ導体の本数を必ず偶数とする必要があり、スロット内の径方向の導体本数を奇数とすることができない。しかし、回転電機は、コイルの巻数（ターン数）によって発生可能なトルクや逆起電力の大きさが変化するため、要求される特性を得るためには、スロット内の径方向の導体本数を奇数にすることが望ましい場合がある。上記特許文献１の技術では、このような場合における回転電機の設計自由度が低いという問題がある。
【０００５】
そこで、スロット内の径方向の導体本数を奇数にすることが可能であり、回転電機の要求特性に応じてコイルの巻数（ターン数）を任意に設定することが容易な設計自由度が高い回転電機用電機子の実現が望まれる。
【課題を解決するための手段】
【０００６】
本発明に係る、円筒状のコア基準面の軸方向に延びるスロットが当該コア基準面の周方向に複数分散配置されてなる電機子コアと、前記電機子コアに巻装されるコイルと、を備え、界磁に対して前記コア基準面の径方向に対向配置されて当該界磁とともに回転電機を構成する回転電機用電機子の特徴構成は、前記コイルは、複数の互いに異なる相の相コイルを備え、各相コイルは複数のセグメント導体を接合して構成され、前記セグメント導体は、互いに異なる前記スロット内にそれぞれ配置される一対の導体辺部と、前記電機子コアの軸方向外側において前記一対の導体辺部の一端同士を接続する連続渡り部と、前記一対の導体辺部のそれぞれの他端から前記電機子コアの軸方向外側に延出する一対の延出部と、を連続導体で形成してなり、前記コア基準面の径方向における前記界磁側を径方向界磁側とするとともに前記界磁とは反対側を径方向反界磁側として、前記スロットは、前記径方向反界磁側の壁面であるスロット底面を有し、前記セグメント導体のそれぞれの前記連続渡り部における周方向中間位置よりも周方向一方側部分を渡り部一方部分、周方向他方側部分を渡り部他方部分とし、前記一対の導体辺部が異なる前記スロット内において互いに同じ径方向位置に配置される前記セグメント導体を同層配置セグメント導体とし、前記同層配置セグメント導体は、前記導体辺部が前記スロット底面に隣接して配置され、前記各相コイルの前記同層配置セグメント導体の前記渡り部一方部分は、前記各相コイルの前記同層配置セグメント導体の前記渡り部他方部分に対して径方向反界磁側にオフセットするオフセット領域を備えるとともに、当該オフセット領域で他相の前記相コイルにおける前記同層配置セグメント導体の前記渡り部他方部分に対して周方向に重複して配置されている点にある。
【０００７】
なお、本願において「回転電機」は、モータ（電動機）、ジェネレータ（発電機）、及び必要に応じてモータ及びジェネレータの双方の機能を果たすモータ・ジェネレータのいずれをも含む概念として用いている。また、２つの部材の配置に関して、ある方向に「重複」とは、２つの部材のそれぞれが、当該方向の配置に関して同じ位置となる部分を少なくとも一部に有することを指す。
【０００８】
この特徴構成によれば、同層配置セグメント導体がスロット底面に隣接する層に配置されるとともに、同層配置セグメント導体の渡り部一方部分が、オフセット領域で他相の同層配置セグメント導体の渡り部他方部分と周方向に重複するように配置される。よって、スロット底面に隣接する層に配置される異なる相の同層配置セグメント導体の連続渡り部同士が径方向におけるいずれか一方側から見て重なる部分において、連続渡り部同士が互いに干渉することを抑制することが可能な構成となっている。すなわち、各相コイルを構成する同層配置セグメント導体を少なくともスロット底面に隣接する層に配置して、当該層内に、互いに異なる相の相コイルを備えるコイルを構成することが可能な構成となっている。よって、スロット内において径方向に並ぶ導体辺部の本数を奇数とすることが可能であり、回転電機の要求特性に応じてコイルの巻数（ターン数）を任意に設定することが容易な設計自由度が高い回転電機用電機子を実現することができる。
なお、同層配置セグメント導体の渡り部一方部分が備えるオフセット領域のオフセット幅に応じて、コイルエンド部が占める径方向幅は同層配置セグメント導体の導体辺部が占める径方向範囲に比べて大きくなり易いが、当該オフセット領域のオフセット方向は径方向反界磁側となっているため、回転電機の製造時等におけるコイルエンド部と界磁との干渉が生じ難い構成となっている。さらに、スロット底面に隣接する層に配置される同層配置セグメント導体に対してオフセット領域のオフセット方向である径方向反界磁側には他の層のコイルが配置されないため、他の層のコイルに影響を与えることなく、スロット底面に隣接する層に配置される同層配置セグメント導体の連続渡り部を適切に配置することができる。
【０００９】
ここで、前記コイルは、前記各スロット内において前記導体辺部が径方向にｍ個（ｍ：３以上の奇数）配列されたｍ層巻構造とされ、前記一対の導体辺部が異なる前記スロット内において互いに隣接する層となるように配置される前記セグメント導体を隣接層配置セグメント導体とし、前記各スロット内における最も前記径方向反界磁側の層には前記同層配置セグメント導体の前記導体辺部が配置され、それ以外の層には前記隣接層配置セグメント導体の前記導体辺部が配置されていると好適である。
【００１０】
この構成によれば、電機子コアに対して単一の層を単位として配置される同層配置セグメント導体と、電機子コアに対して隣接する２つの層を単位として配置される隣接層配置セグメント導体とを用いて、スロット内において径方向に配置される導体辺部の本数を奇数とした３層以上の奇数層巻構造（ｍ層巻構造）のコイルを備える回転電機用電機子を適切に構成することができる。この際、渡り部一方部分が径方向反界磁側へオフセットされたオフセット領域を備える同層配置セグメント導体は、スロット内における最も径方向反界磁側の層に配置されるため、他の層のコイルに影響を与えることなく、同層配置セグメント導体の連続渡り部を適切に配置することができる。
【００１１】
また、前記同層配置セグメント導体の前記渡り部一方部分は、径方向におけるいずれか一方側から見て、周方向他方側へ向かうに従って軸方向における前記電機子コアから離間する側へ向かう一方側周方向延在部を備え、前記同層配置セグメント導体の前記渡り部他方部分は、径方向におけるいずれか一方側から見て、周方向一方側へ向かうに従って軸方向における前記電機子コアから離間する側へ向かう他方側周方向延在部を備え、前記一方側周方向延在部の少なくとも一部が、前記オフセット領域とされており、前記各相コイルの前記同層配置セグメント導体は、前記一方側周方向延在部における前記オフセット領域が、径方向におけるいずれか一方側から見て、他相の前記相コイルにおける前記同層配置セグメント導体の前記他方側周方向延在部に対して交差するように配置されていると好適である。
【００１２】
この構成によれば、異なる相の同層配置セグメント導体の連続渡り部同士が径方向におけるいずれか一方側から見て重なる部分において、一方の同層配置セグメント導体の一方側周方向延在部におけるオフセット領域が、他方の同層配置セグメント導体の他方側周方向延在部と重なるため、連続渡り部同士が互いに干渉することをより確実に抑制しつつ、各相コイルを構成する同層配置セグメント導体を互いに同一の層に配置することができる。
さらに、一方側周方向延在部が、周方向他方側へ向かうに従って軸方向における電機子コアから離間する側へ向かうように形成され、他方側周方向延在部が、周方向一方側へ向かうに従って軸方向における電機子コアから離間する側へ向かうように形成されているため、毎極毎相あたりのスロット数を２以上の値とした場合に、互いに同一の層に配置される同じ相の同層配置セグメント導体の連続渡り部同士の干渉を抑制することも容易な構成となっている。
【００１３】
また、上記のように、前記同層配置セグメント導体が備える前記一方側周方向延在部における前記オフセット領域が、径方向におけるいずれか一方側から見て、他相の前記相コイルにおける前記同層配置セグメント導体の前記他方側周方向延在部に対して交差するように、前記各相コイルを構成する前記同層配置セグメント導体が配置されている構成において、前記同層配置セグメント導体の前記渡り部一方部分は、周方向一方側に接続されている前記導体辺部と同じ周方向位置に、前記一方側周方向延在部を当該導体辺部に対して前記径方向反界磁側にオフセットするオフセット屈曲部を備え、前記同層配置セグメント導体の前記連続渡り部は、当該連続渡り部の周方向中間位置に、径方向位置及び延在方向の双方が互いに異なる前記一方側周方向延在部と前記他方側周方向延在部とを接続する変向オフセット屈曲部を備えていると好適である。
【００１４】
この構成によれば、渡り部一方部分におけるオフセット領域の周方向幅を大きくすることができるため、互いに同一の層に配置される異なる相の同層配置セグメント導体の連続渡り部同士が互いに干渉することを抑制しつつ、毎極毎相あたりのスロット数を大きくすることが容易な構成となっている。
また、変向オフセット屈曲部は、連続渡り部における最も電機子コアから軸方向に離間した位置に形成されるため、変向オフセット屈曲部の配置空間を適切に確保することが容易な構成となっている。よって、変向オフセット屈曲部として採用できる構造の自由度が高くなり、製造コストの削減等の観点から適切な構成を採用することができる。
【００１５】
また、前記各相コイルは、互いに異なる前記スロットにそれぞれ配置された前記導体辺部から延出する前記延出部同士を接合してなる接合渡り部を前記電機子コアの軸方向外側に有し、前記接合渡り部を構成する一対の前記延出部の内の周方向第一方向側に位置するものを第一方向側延出部、当該周方向第一方向側とは反対側の周方向第二方向側に位置するものを第二方向側延出部とし、前記各相コイルの前記同層配置セグメント導体の前記第一方向側延出部は、前記各相コイルの前記同層配置セグメント導体の前記第二方向側延出部に対して径方向反界磁側にオフセットするオフセット領域を備えるとともに、当該オフセット領域で他相の前記相コイルにおける前記同層配置セグメント導体の前記第二方向側延出部に対して周方向に重複して配置され、前記同層配置セグメント導体が備える前記第一方向側延出部と、同相の前記相コイルにおける他の前記同層配置セグメント導体の前記第二方向側延出部と、のそれぞれの接合面同士が互いに径方向に対向して接合されることで、各相の波巻状コイル部が形成されていると好適である。
【００１６】
この構成によれば、同層配置セグメント導体の第一方向側延出部が、オフセット領域で他相の同層配置セグメント導体の第二方向側延出部と周方向に重複するように配置される。よって、スロット底面に隣接する層に配置される異なる相の同層配置セグメント導体のそれぞれが構成する接合渡り部同士が径方向におけるいずれか一方側から見て重なる部分において、接合渡り部同士が互いに干渉することを抑制することが可能な構成となっている。このように、本構成によれば、一対の延出部を接合してなる接合渡り部の構成を、連続渡り部とほぼ同じ構成とすることができる。言い換えれば、電機子コアの軸方向両側の渡り部の構成をほぼ同じにすることができる。
【図面の簡単な説明】
【００１７】
【図１】本発明の実施形態に係るステータの斜視図である。
【図２】本発明の実施形態に係るステータを軸方向一方側から見た図である。
【図３】本発明の実施形態に係るステータの一部断面図である。
【図４】本発明の実施形態に係る第一層コイルのみが巻装された状態のステータの斜視図である。
【図５】本発明の実施形態に係る同層配置セグメント導体の斜視図である。
【図６】本発明の実施形態に係る第一層コイルを構成する１つの相コイルの斜視図である。
【図７】図６におけるＶＩＩ−ＶＩＩ断面図である。
【図８】本発明の実施形態に係る第一層コイルの斜視図である。
【図９】本発明の実施形態に係る第二層コイル及び第三層コイルを構成する１つの相コイルの斜視図である。
【図１０】図９におけるＸ−Ｘ断面図である。
【図１１】本発明の実施形態に係る第二層コイル及び第三層コイルの斜視図である。
【図１２】本発明の別実施形態に係る第一層コイルのみが巻装された状態のステータの一部斜視図である。
【図１３】本発明の別実施形態に係る同層配置セグメント導体の斜視図である。
【図１４】本発明の別実施形態に係る同層配置セグメント導体の連続渡り部を軸方向一方側から見た図である。
【発明を実施するための形態】
【００１８】
本発明に係る回転電機用電機子の実施形態について、図面を参照して説明する。ここでは、本発明を、インナーロータ型の回転電機のステータに適用した場合を例として説明する。本実施形態に係るステータ１は、図１等に示すように、第一層コイル２１を構成する各相の同層配置セグメント導体４０ａが、渡り部一方部分５２ａに第一オフセット領域９０を備えている点に特徴を有する。これにより、各相コイル２５を構成する同層配置セグメント導体４０ａを少なくともスロット底面３ａに隣接する層（第一層）に配置して、当該層内に、互いに異なる相の相コイル２５を備えるコイル２０を構成することが可能となっている。以下、本実施形態に係るステータ１の構成について詳細に説明する。なお、以下の説明において参照する図面においては、簡素化のため、異なるターン間の接合部、中性点を形成するための接合部、及び電源に接続するための端子との接続部、並びにこれらを形成するための異形セグメント導体や屈曲部等は省略している。
【００１９】
以下の説明では、特に断らない限り、「軸方向Ｌ」、「周方向Ｃ」、「径方向Ｒ」は、後述する円筒状のコア基準面の軸心を基準として定義している。また、以下の説明では、「軸方向一方側Ｌ１」は、図１における軸方向Ｌに沿った上側を表し、「軸方向他方側Ｌ２」は、図１における軸方向Ｌに沿った下側を表すものとする。また、以下の説明では、図１に示すように、「周方向一方側Ｃ１」は、ステータ１（ステータコア２）を軸方向一方側Ｌ１から見た場合における時計回り方向側を表し、「周方向他方側Ｃ２」は、ステータ１（ステータコア２）を軸方向一方側Ｌ１から見た場合における反時計回り方向側を表す。なお、以下の説明では、コイル２０やコイル２０を構成するセグメント導体４０についての各方向は、コイル２０やセグメント導体４０がステータコア２に装着された状態での方向として規定している。
【００２０】
本実施形態では、ステータ１及びステータコア２が、それぞれ、本発明における「回転電機用電機子」及び「電機子コア」に相当する。また、本実施形態では、ステータ１は、径方向内側Ｒ１に界磁としてのロータが配置されるインナーロータ型の回転電機のステータである。よって、径方向Ｒにおける界磁側を径方向界磁側とするとともに当該界磁とは反対側を径方向反界磁側とすると、本実施形態では、径方向内側Ｒ１及び径方向外側Ｒ２が、それぞれ、本発明における「径方向界磁側」及び「径方向反界磁側」に相当する。
【００２１】
１．ステータの全体構成
本実施形態に係るステータ１の全体構成について、図１を参照して説明する。図１に示すように、ステータ１は、ステータコア２及びコイル２０を備え、回転電機用の電機子として構成されている。ステータコア２は磁性材料を用いて形成されており、コイル２０を巻装可能とすべく、円筒状のコア基準面の軸方向Ｌに延びるスロット３が当該コア基準面の周方向Ｃに複数（本例では４８個）分散配置されてステータコア２が形成されている。ここで、「円筒状のコア基準面」とは、スロット３の配置や構成に関して基準となる仮想的な面である。本実施形態は、図１から図３に示すように、互いに周方向Ｃに隣接するスロット３間に位置するティース５の径方向内側Ｒ１の端面を含む仮想的な円筒状の面であるコア内周面を定義することができ、この円筒状のコア内周面を本発明における「円筒状のコア基準面」とすることができる。また、円筒状のコア内周面と同心であって、軸方向Ｌ視（軸方向Ｌに沿って見た場合）における断面形状が当該コア内周面の軸方向Ｌ視における断面形状と相似の関係にある円筒状の面（仮想面を含む）も、本発明における「円筒状のコア基準面」になり得る。例えば、本実施形態では、図１から図３に示すように、ステータコア２は円筒状に形成されているため、取付用の突出部を除くステータコア２の外周面を「円筒状のコア基準面」とすることもできる。
【００２２】
ステータコア２は、上記の円筒状のコア内周面に、周方向Ｃに分散配置された複数のスロット３を有する。複数のスロット３は、所定の周方向間隔で配置されており、軸方向Ｌに延びるように設けられている。そして、各スロット３は、軸方向Ｌに直交する面における断面形状（本例では矩形状）が互いに等しく形成されている。また、スロット３は、径方向反界磁側（本実施形態では径方向外側Ｒ２と同じ）の壁面であるスロット底面３ａを有しており、径方向内側Ｒ１に開口している。
【００２３】
本実施形態では、ステータ１は、三相交流（Ｕ相、Ｖ相、Ｗ相）で駆動される回転電機に用いられるステータである。そのため、ステータコア２には、Ｕ相用、Ｖ相用及びＷ相用のスロット３が、周方向Ｃに沿って繰り返し現れるように配置されている。本例では、ステータコア２には、毎極毎相あたりのスロット数が「２」となるように、Ｕ相用の互いに隣接する２つのスロット３と、Ｖ相用の互いに隣接する２つのスロット３と、Ｗ相用の互いに隣接する２つのスロット３とが、記載の順に周方向Ｃに沿って（本例では、周方向他方側Ｃ２に向かって）繰り返し現れるように形成されている。そして、ステータコア２に形成されるスロット３の相数（本例では３つ）に合わせて、コイル２０も三相構成（Ｕ相、Ｖ相、Ｗ相）で形成されている。すなわち、コイル２０は、複数（本例では３つ）の互いに異なる相の相コイル２５であるＵ相コイル２５ｕと、Ｖ相コイル２５ｖと、Ｗ相コイル２５ｗとを備えている（図８、図１１参照）。そして、詳細は後述するが、コイル２０は波巻でステータコア２に巻装されている。コイル２０が備える各相の相コイル２５（Ｕ相コイル２５ｕ、Ｖ相コイル２５ｖ、Ｗ相コイル２５ｗ）は同様の構成を有しているため、以下の説明では、必要な場合を除き、各相の相コイル２５ｕ、２５ｖ、２５ｗを区別することなく説明する。
【００２４】
そして、図示は省略するが、ステータ１（ステータコア２）の径方向内側Ｒ１には、永久磁石や電磁石を備えた界磁としてのロータが、ステータ１に対して相対回転可能に配置される。すなわち、ステータ１は、界磁としてのロータに対して径方向Ｒに対向配置されて当該ロータとともに回転電機を構成している。そして、ステータ１から発生する回転磁界によりロータが回転する。すなわち、本実施形態に係るステータ１は、インナーロータ型で回転界磁型の回転電機用のステータとされている。
【００２５】
なお、上記のようなステータコア２は、例えば、円環板状の電磁鋼板を複数枚積層した積層構造体としたり、磁性材料の粉体である磁性材料を加圧成形してなる圧粉材を主な構成要素として形成したりすることができる。また、本実施形態では、ステータコア２には毎極毎相あたりのスロット数が「２」となるように複数のスロット３が形成されているが、当然ながら、毎極毎相あたりのスロット数は適宜変更可能である。例えば、毎極毎相あたりのスロット数を「１」や「３」等とすることができる。また、本実施形態では、ステータ１が、三相交流で駆動される回転電機に用いられるステータとして構成されているが、回転電機を駆動する交流電源の相数は適宜変更可能であり、例えば、「１」、「２」、「４」等とすることができる。当然ながら、コイル２０が備える相コイル２５の個数は、この交流電源の相数に合わせて適宜変更される。
【００２６】
２．コイルの構成
次に、本実施形態に係るコイル２０の構成について詳細に説明する。本実施形態では、コイル２０は、図３に示すように、各スロット３内において導体辺部５０（詳細は後述する）が径方向Ｒに３個配列された３層巻構造とされている。すなわち、各スロット３内には、３個の導体辺部５０が径方向Ｒに重なる（積み重なる）ように、一列に整列配置されている。本明細書では、各スロット３内における導体辺部５０の位置に関して、径方向外側Ｒ２から径方向内側Ｒ１に向かって、一から順に層番号を付して説明する。よって、本実施形態では、径方向Ｒ最外側の層が第一層となり、径方向Ｒ最内側の層が第三層となる。また、以下の説明において、第一層に配置された導体辺部５０が構成するコイルを第一層コイル２１といい、第二層に配置された導体辺部５０が構成するコイルを第二層コイル２２といい、第三層に配置された導体辺部５０が構成するコイルを第三層コイル２３という。なお、本例では、詳細は後述するが、第二層コイル２２と第三層コイル２３とは一体的に形成されている。
【００２７】
コイル２０が備える各相コイル２５は、複数のセグメント導体４０を接合して構成されている。セグメント導体４０は、図５に示すように、互いに異なるスロット３内にそれぞれ配置される一対の導体辺部５０と、ステータコア２の軸方向Ｌ外側において一対の導体辺部５０の一端同士を接続する連続渡り部５２（５２ａ、５２ｂ）と、一対の導体辺部５０のそれぞれの他端からステータコア２の軸方向Ｌ外側に延出する一対の延出部５１（５１ａ、５１ｂ）と、を連続導体で形成してなる。なお、導体辺部５０は、スロット３内において軸方向Ｌに沿って配置される。以下の説明では、セグメント導体４０のそれぞれの連続渡り部５２における周方向中間位置（本実施形態では、周方向中央位置と一致する。以下同様。）よりも周方向一方側Ｃ１部分を渡り部一方部分５２ａ、周方向他方側Ｃ２部分を渡り部他方部分５２ｂとする。なお、このようなセグメント導体４０は、例えば、連続渡り部５２が挿入方向後方側に位置する形態でステータコア２のスロット３に対して軸方向Ｌ外側から軸方向Ｌに沿って装着されるか、或いは、ステータコア２のスロット３に対して径方向内側Ｒ１から径方向Ｒに沿って装着される。
【００２８】
セグメント導体４０は、図３に示すように、延在方向（通電方向に等しい）に直交する面に沿って切断した断面の形状が矩形状の線状導体で構成されている。この線状導体を構成する材料は、例えば銅やアルミニウム等とすることができる。また、線状導体の表面は、異なる部材間の電気的な接続箇所（後述する接合部３０の形成箇所等）を除き、樹脂等（例えばポリイミド等）からなる絶縁皮膜により被覆されている。なお、本例では、図３に示すように、導体辺部５０は、線状導体の断面の長手方向が径方向Ｒに沿うようにスロット３内に配置されている。
【００２９】
そして、コイル２０は、このようなセグメント導体４０（より正確には、セグメント導体４０が備える延出部５１）を順次接合して構成されている。なお、異なるセグメント導体４０の延出部５１同士の接合は、例えば、ＴＩＧ溶接等のアーク溶接、電子ビーム溶接、レーザビーム溶接、抵抗溶接、ろう付け、半田付け等で行われる。本実施形態では、コイル２０は、複数のセグメント導体４０を波巻状に接合して構成されており、後述する同層配置セグメント導体４０ａが構成する第一波巻コイル６１（図６参照）と、後述する隣接層配置セグメント導体４０ｂが構成する第二波巻コイル６２（図９参照）とを、三相の各相に対応してそれぞれ備えている。言い換えれば、コイル２０が備える複数の互いに異なる相の相コイル２５（本例では、Ｕ相コイル２５ｕ、Ｖ相コイル２５ｖ、及びＷ相コイル２５ｗ）のそれぞれは、第一波巻コイル６１及び第二波巻コイル６２を備えている。そして、同一の相を構成する第一波巻コイル６１及び第二波巻コイル６２は、互いに直列或いは並列に接続されている。
【００３０】
本実施形態では、複数のスロット３内における径方向Ｒ最外側の層である第一層には第一波巻コイル６１が配置され、それ以外の層である第二層及び第三層には、第二波巻コイル６２が配置されている。すなわち、第一層コイル２１は、第一波巻コイル６１を備えて構成されており、第二層コイル２２及び第三層コイル２３は、第二波巻コイル６２を備えて構成されている。以下、これらの第一層コイル２１、第二層コイル２２、及び第三層コイル２３の構成について詳細に説明する。なお、本実施形態では、第一波巻コイル６１が、本発明における「波巻状コイル部」に相当する。
【００３１】
２−１．第一層コイルの全体構成
第一層コイル２１は、上記のように、第一波巻コイル６１を備えて構成されている。なお、ステータコア２には、Ｕ相用の互いに隣接する２つのスロット３と、Ｖ相用の互いに隣接する２つのスロット３と、Ｗ相用の互いに隣接する２つのスロット３とが、記載の順に周方向Ｃに沿って繰り返し現れるように形成されている。このような各相のスロット３の配置構成に合わせて、本実施形態では、図６に示すように、互いに周方向Ｃに１スロット分ずらした位置関係で配置される一対の第一波巻コイル６１の組が、第一層コイル２１が備える１つの相コイル２５を構成している。なお、図６においては、第一波巻コイル６１の構成の理解を容易にすべく、１つの第一波巻コイル６１を強調して表している。
【００３２】
そして、図８に示すように、図６に示す一対の第一波巻コイル６１の組を周方向一方側Ｃ１に４スロット分及び８スロット分ずらした位置関係で配置される一対の第一波巻コイル６１の組のそれぞれが、第一層コイル２１が備える別の２つの相の相コイル２５を構成している。なお、第一層コイル２１を構成する第一波巻コイル６１のそれぞれは、ステータコア２に対する周方向Ｃ位置が異なるものの互いに同様の構成を有しているため、以下では、必要な場合を除き、これらを区別することなく説明する。
【００３３】
第一波巻コイル６１は、図５に示すような同層配置セグメント導体４０ａを用いて構成されている。同層配置セグメント導体４０ａは、一対の導体辺部５０が異なるスロット３内において互いに同じ径方向Ｒ位置に配置されるセグメント導体４０であり、本実施形態では、同層配置セグメント導体４０ａの一対の導体辺部５０は、各スロット３内における最も径方向外側Ｒ２の層（第一層）に配置されている。言い換えれば、同層配置セグメント導体４０ａは、導体辺部５０がスロット底面３ａに隣接して配置されている。また、本例では、図４に示すように、同層配置セグメント導体４０ａが備える一対の導体辺部５０は、スロット３の配設ピッチの６倍に相当する距離だけ互いに周方向Ｃに離間した一対のスロット３にそれぞれ配置されている。
【００３４】
第一波巻コイル６１は、図６に示すように、周方向Ｃに沿って２磁極ピッチに相当する間隔毎に配置された複数（本例では１ターンにつき４つ）の同層配置セグメント導体４０ａを用いて構成されている。具体的には、第一波巻コイル６１は、これら複数の同層配置セグメント導体４０ａを用い、図６に示すように、互いに隣接する同層配置セグメント導体４０ａの延出部５１（５１ａ、５１ｂ）同士を順次接合して周方向Ｃに一巡する波巻状としたコイルである。すなわち、第一波巻コイル６１は、１ターン（一巡回分）の波巻コイルである。なお、２磁極ピッチは、電気角でπに相当する距離である磁極ピッチの２倍の距離である。
【００３５】
図４に示すように、第一波巻コイル６１を構成する同層配置セグメント導体４０ａは、連続渡り部５２がステータコア２に対して軸方向一方側Ｌ１の軸方向Ｌ外側に位置するように、ステータコア２に配置されている。よって、異なる同層配置セグメント導体４０ａの延出部５１の先端部同士の接合箇所である接合部３０は、ステータコア２に対して軸方向他方側Ｌ２の軸方向Ｌ外側に位置する。すなわち、各相コイル２５は、互いに異なるスロット３にそれぞれ配置された導体辺部５０から延出する延出部５１同士を接合してなる接合渡り部５３を、ステータコア２に対して軸方向他方側Ｌ２の軸方向Ｌ外側に有している。以下の説明では、接合渡り部５３を構成する一対の延出部５１の内の周方向第一方向側に位置するものを第一方向側延出部５１ａとし、当該周方向第一方向側とは反対側の周方向第二方向側に位置するものを第二方向側延出部５１ｂとする。なお、本実施形態では、周方向第一方向側は周方向他方側Ｃ２と一致し、周方向第二方向側は周方向一方側Ｃ１と一致する。
【００３６】
ところで、第一層コイル２１を構成する各相の同層配置セグメント導体４０ａは全て、導体辺部５０が第一層に配置されている。そして、図４に示すように、軸方向一方側Ｌ１のコイルエンド部において、互いに異なる相の相コイル２５を形成するための連続渡り部５２同士が周方向Ｃに重複して配置される。また、軸方向他方側Ｌ２のコイルエンド部において、互いに異なる相の相コイル２５を形成するための接合渡り部５３同士が周方向Ｃに重複して配置される。本実施形態では、このように周方向Ｃに重複して配置される連続渡り部５２同士や接合渡り部５３同士が互いに干渉することを抑制しつつ、第一層コイル２１を構成する各相の同層配置セグメント導体４０ａの導体辺部５０を第一層に配置することが可能となっている。以下、このような配置構成を実現するための連続渡り部５２及び接合渡り部５３の構成について、順に詳細に説明する。
【００３７】
２−２．第一層コイルにおける連続渡り部の構成
同層配置セグメント導体４０ａの連続渡り部５２は、図５及び図６に示すように、径方向Ｒにおけるいずれか一方側から見て全体としてＶ字状に形成されている。そして、同層配置セグメント導体４０ａの渡り部一方部分５２ａは、第一オフセット屈曲部９３と、第一周方向屈曲部７１と、一方側周方向延在部５４ａと、を備えている。
【００３８】
第一オフセット屈曲部９３は、当該第一オフセット屈曲部９３より連続渡り部５２の周方向中間位置側（後述する変向オフセット屈曲部９２側）の部分を、当該第一オフセット屈曲部９３より導体辺部５０側の部分に対して径方向外側Ｒ２にオフセットするための屈曲部である。言い換えれば、第一オフセット屈曲部９３は、当該第一オフセット屈曲部９３より連続渡り部５２の周方向中間位置側の部分の中心線の位置を、当該第一オフセット屈曲部９３より導体辺部５０側の部分の中心線の位置に対して径方向外側Ｒ２にオフセットするための屈曲部である。ここで、「中心線」とは、セグメント導体４０を形成する線状導体の延在方向に直交する断面における中心点を延在方向に沿って連続的に結んだ線を意味する。本実施形態では、第一オフセット屈曲部９３が、本発明における「オフセット屈曲部」に相当する。
【００３９】
本実施形態では、第一オフセット屈曲部９３は、渡り部一方部分５２ａの周方向一方側Ｃ１に接続されている導体辺部５０と同じ周方向Ｃ位置に形成されている。そして、第一オフセット屈曲部９３は、周方向Ｃにおけるいずれか一方側から見てクランク状に形成されており、径方向Ｒに沿った方向のオフセット幅は、導体辺部５０における線状導体の径方向Ｒ幅（以下、単に「線状導体幅」という。）以上の値に設定される。本例では、図７に示すように、当該オフセット幅は、線状導体幅と同じ値に設定されている。なお、本明細書では、「クランク状」は、屈曲角が直角ではない緩やかな形状のクランク形状を含む概念として用いている。
【００４０】
第一周方向屈曲部７１は、第一オフセット屈曲部９３から連続渡り部５２の周方向中間位置に向かうに従って、渡り部一方部分５２ａの延在方向を軸方向一方側Ｌ１を向いた状態から周方向他方側Ｃ２に屈曲するための屈曲部である。本実施形態では、第一周方向屈曲部７１は、第一オフセット屈曲部９３と同一の周方向Ｃ位置に、第一オフセット屈曲部９３に対して軸方向一方側Ｌ１に隣接して形成されている。
【００４１】
一方側周方向延在部５４ａは、第一周方向屈曲部７１より連続渡り部５２の周方向中間位置側に形成されており、径方向Ｒにおけるいずれか一方側から見て、周方向他方側Ｃ２へ向かうに従って軸方向Ｌにおけるステータコア２から離間する側（本実施形態では軸方向一方側Ｌ１と同じ）へ向かう直線状に形成されている。本実施形態では、図４に示すように、一方側周方向延在部５４ａの周方向Ｃ長さは、スロット３の配設ピッチの３倍程度とされている。また、図７に示すように、本実施形態では、一方側周方向延在部５４ａは、軸方向Ｌにおけるいずれか一方側から見て円弧状に形成されているが、軸方向Ｌにおけるいずれか一方側から見た形状を、直線状（折れ線状を含む）とすることも可能である。
【００４２】
そして、一方側周方向延在部５４ａは、第一オフセット屈曲部９３により、渡り部一方部分５２ａの周方向一方側Ｃ１に接続されている導体辺部５０（本例では、第一層に配置されている導体辺部５０）に対して径方向外側Ｒ２にオフセットされ、当該導体辺部５０に対して径方向外側Ｒ２に位置する。本実施形態では、上記のように、第一オフセット屈曲部９３の径方向Ｒに沿ったオフセット幅は線状導体幅と同一の値に設定されている。よって、一方側周方向延在部５４ａは、第一層に配置されている導体辺部５０に対して線状導体幅分だけ径方向外側Ｒ２に配置される。
【００４３】
一方、同層配置セグメント導体４０ａの渡り部他方部分５２ｂは、第二周方向屈曲部７２と、他方側周方向延在部５４ｂと、を備えている。第二周方向屈曲部７２は、導体辺部５０との境界部から連続渡り部５２の周方向中間位置に向かうに従って、渡り部他方部分５２ｂの延在方向を軸方向一方側Ｌ１を向いた状態から周方向一方側Ｃ１に屈曲するための屈曲部である。
【００４４】
他方側周方向延在部５４ｂは、第二周方向屈曲部７２より連続渡り部５２の周方向中間位置側に形成されており、径方向Ｒにおけるいずれか一方側から見て、周方向一方側Ｃ１へ向かうに従って軸方向におけるステータコア２から離間する側（本実施形態では軸方向一方側Ｌ１と同じ）へ向かう直線状に形成されている。他方側周方向延在部５４ｂは、渡り部他方部分５２ｂの周方向他方側Ｃ２に接続されている導体辺部５０（本例では、第一層に配置されている導体辺部５０）と同一の径方向Ｒ位置に位置する。図４に示すように、他方側周方向延在部５４ｂの周方向Ｃ長さは、スロット３の配設ピッチの３倍程度とされている。また、図７に示すように、本実施形態では、他方側周方向延在部５４ｂは、軸方向Ｌにおけるいずれか一方側から見て円弧状に形成されているが、軸方向Ｌにおけるいずれか一方側から見た形状を、直線状（折れ線状を含む）とすることも可能である。
【００４５】
そして、同層配置セグメント導体４０ａの連続渡り部５２は、当該連続渡り部５２の周方向中間位置に、変向オフセット屈曲部９２を備えている。この変向オフセット屈曲部９２は、本例では連続渡り部５２の周方向中央位置に形成されており、径方向Ｒ位置及び延在方向の双方が互いに異なる一方側周方向延在部５４ａと他方側周方向延在部５４ｂとを接続する屈曲部である。本実施形態では、図４から図７に示すように、変向オフセット屈曲部９２は、線状導体の中心線の軌跡が螺旋状となる形状を備えている。言い換えれば、変向オフセット屈曲部９２は、周方向Ｃに沿って見た場合の形状が円弧状であり、径方向Ｒに沿って見た場合の形状がＶ字状となる形状を備えている。変向オフセット屈曲部９２がこのように形成されているため、一方側周方向延出部５４ａにおいて軸方向一方側Ｌ１に面する線状導体の表面は、他方側周方向延出部５４ｂにおいて軸方向他方側Ｌ２に面する。すなわち、変向オフセット屈曲部９２は、線状導体の径方向Ｒ位置をオフセットさせつつ、当該線状導体を延在方向回りに１８０°回転している。
【００４６】
上記のように構成された同層配置セグメント導体４０ａを備えることで、渡り部一方部分５２ａにおける第一オフセット屈曲部９３から変向オフセット屈曲部９２までの、一方側周方向延在部５４ａの全体を含む領域は、渡り部他方部分５２ｂに対して線状導体幅以上のオフセット幅（本例では、線状導体幅に等しい）だけ径方向外側Ｒ２にオフセットされて配置されることになる。ここで、このように径方向外側Ｒ２にオフセットされて配置される渡り部一方部分５２ａにおける当該領域を、第一オフセット領域９０とする。本実施形態では、一方側周方向延在部５４ａの全体が第一オフセット領域９０とされている。そして、各相コイル２５を構成する同層配置セグメント導体４０ａの渡り部一方部分５２ａに備えられる第一オフセット領域９０は、当該同層配置セグメント導体４０ａと導体辺部５０が同じ径方向Ｒ位置（本例では第一層）に配置されるとともに他相の相コイル２５を構成する同層配置セグメント導体４０ａの渡り部他方部分５２ｂに対して径方向外側にオフセットされて配置される領域である。言い換えれば、各相コイル２５の同層配置セグメント導体４０ａの渡り部一方部分５２ａは、各相コイル２５の同層配置セグメント導体４０ａの渡り部他方部分５２ｂに対して径方向外側にオフセットする第一オフセット領域９０を備えている。本実施形態では、第一オフセット領域９０が、本発明における「渡り部一方部分が備えるオフセット領域」に相当する。
【００４７】
図８に示すように、径方向Ｒにおけるいずれか一方側から見て、互いに異なる相の相コイル２５を構成する連続渡り部５２同士が重なる部分において、一方の連続渡り部５２の一方側周方向延在部５４ａと、他方の連続渡り部５２の他方側周方向延在部５４ｂとが重なるように配置されている。すなわち、各相コイル２５を構成する同層配置セグメント導体４０ａは、径方向Ｒにおけるいずれか一方側から見て、第一オフセット領域９０が、当該同層配置セグメント導体４０ａと導体辺部５０が同じ径方向Ｒ位置に配置されるとともに他相の相コイル２５を構成する同層配置セグメント導体４０ａの他方側周方向延在部５４ｂに対して交差するように配置されている。言い換えれば、各相コイル２５の同層配置セグメント導体４０ａの渡り部一方部分５２ａは、第一オフセット領域９０で他相の相コイル２５における同相配置セグメント導体４０ａの渡り部他方部分５２ｂに対して周方向Ｃに重複して配置されている。より具体的には、各相コイル２５の同層配置セグメント導体４０ａは、一方側周方向延在部５４ａにおける第一オフセット領域９０が、径方向Ｒにおけるいずれか一方側から見て、他相の相コイル２５における同層配置セグメント導体４０ａの他方側周方向延在部５４ｂに対して交差するように配置されている。これにより、各相コイル２５を構成する同層配置セグメント導体４０ａの渡り部一方部分５２ａが、当該同層配置セグメント導体４０ａと導体辺部５０が同じ径方向Ｒ位置（本例では第一層）に配置されるとともに他相の相コイル２５を構成する同層配置セグメント導体４０ａの渡り部他方部分５２ｂ対して周方向Ｃに重複して配置される構成において、相毎に異なる形状の相コイル２５を用いることなく、互いに異なる相の連続渡り部５２同士が互いに干渉することを抑制しつつ、第一層コイル２１を構成する各相の同層配置セグメント導体４０ａの導体辺部５０を第一層に配置することが可能となっている。
【００４８】
なお、本実施形態では、第一オフセット領域９０の径方向Ｒ外側へのオフセット幅は線状導体幅と等しいため、図２に示すように、第一層コイル２１のコイルエンド部が占める径方向Ｒ範囲は、線状導体幅の２倍程度となる。しかし、第一層コイル２１の径方向外側Ｒ２には他の層のコイルが配置されず、第二層コイル２２及び第三層コイル２３は第一層コイル２１に対して径方向内側Ｒ１に配置されているため、第二層コイル２２や第三層コイル２３に影響を与えることなく、第一層コイル２１の連続渡り部５２を適切に配置することが可能となっている。
【００４９】
ところで、本実施形態では、ステータコア２には、毎極毎相あたりのスロット数が「２」となるように、各相のスロット３が配置されている。そのため、図４に示すように、導体辺部５０が互いに同じ層に配置される同じ相の同層配置セグメント導体４０ａの連続渡り部５２同士も、周方向Ｃに重複して配置される。本実施形態では、連続渡り部５２が上記のように構成されていることで、互いに同一の層に配置される同じ相の同層配置セグメント導体４０ａの連続渡り部５２同士の干渉を抑制することも可能となっている。
【００５０】
補足説明すると、上記のように、連続渡り部５２は、周方向他方側Ｃ２へ向かうに従って軸方向一方側Ｌ１へ向かう一方側周方向延在部５４ａと、周方向一方側Ｃ１へ向かうに従って軸方向一方側Ｌ１へ向かう他方側周方向延在部５４ｂと、を備えている。そして、一方側周方向延在部５４ａの全体は、第一オフセット領域９０とされている。これにより、径方向Ｒにおけるいずれか一方側から見て、一方の同層配置セグメント導体４０ａの一方側周方向延在部５４ａと、他方の同層配置セグメント導体４０ｂの他方側周方向延在部５４ｂとが重なるように配置することで、互いに周方向Ｃに１スロット分ずれた位置関係で配置される一対の同じ相の同層配置セグメント導体４０ａとして互いに同じ構成のものを用いつつ、図６及び図７に示すように、一方の同層配置セグメント導体４０ａの連続渡り部５２と、他方の同層配置セグメント導体４０ａの連続渡り部５２との軸方向Ｌの位置関係を、連続渡り部５２同士の干渉を抑制しつつ、周方向一方側Ｃ１と周方向他方側Ｃ２とで逆転させることが可能となっている。
【００５１】
２−３．第一層コイルにおける接合渡り部の構成
同層配置セグメント導体４０ａの接合渡り部５３は、図６に示すように、径方向Ｒにおけるいずれか一方側から見て全体としてＶ字状に形成されている。そして、同層配置セグメント導体４０ａの第一方向側延出部５１ａは、第二オフセット屈曲部９４と、第三周方向屈曲部７３と、第四周方向屈曲部７４と、第一方向側周方向延在部５４ｃとを備えている。
【００５２】
第二オフセット屈曲部９４は、当該第二オフセット屈曲部９４より接合部３０側の部分を、当該第二オフセット屈曲部９４より導体辺部５０側の部分に対して径方向外側Ｒ２にオフセットするための屈曲部である。言い換えれば、第二オフセット屈曲部９４は、当該第二オフセット屈曲部９４より接合部３０側の部分の中心線の位置を、当該第二オフセット屈曲部９４より導体辺部５０側の部分の中心線の位置に対して径方向外側Ｒ２にオフセットするための屈曲部である。
【００５３】
本実施形態では、第二オフセット屈曲部９４は、第一方向側延出部５１ａの延出元の導体辺部５０と同じ周方向Ｃ位置に形成されている。そして、第二オフセット屈曲部９４は、周方向Ｃにおけるいずれか一方側から見てクランク状に形成されており、径方向Ｒに沿った方向のオフセット幅は、線状導体幅以上の値に設定される。本例では、当該オフセット幅は、線状導体幅と同じ値に設定されている。なお、ステータ１の製造時における第二オフセット屈曲部９４の形成工程と、同層配置セグメント導体４０ａのステータコア２のスロット３に対する装着工程との先後関係はいずれであっても良いが、同層配置セグメント導体４０ａがステータコア２のスロット３に対して軸方向Ｌに沿って装着される構成において第二オフセット屈曲部９４の形成工程を先に行う場合には、当該装着時には径方向内側Ｒにオフセットさせた状態で軸方向Ｌに装着することになる。なお、本例では、図５にも示すように、同層配置セグメント導体４０ａが備える一対の導体辺部５０の内の周方向一方側Ｃ１の導体辺部５０に、第一オフセット屈曲部９３と第二オフセット屈曲部９４との双方が形成される。
【００５４】
第三周方向屈曲部７３は、第二オフセット屈曲部９４から接合部３０に向かうに従って、第一方向側延出部５１ａの延在方向を軸方向他方側Ｌ２を向いた状態から周方向一方側Ｃ１に屈曲するための屈曲部である。本実施形態では、第三周方向屈曲部７３は、第二オフセット屈曲部９４と同一の周方向Ｃ位置に、第二オフセット屈曲部９４に対して軸方向他方側Ｌ２に隣接して形成されている。
【００５５】
第四周方向屈曲部７４は、第三周方向屈曲部７３にて屈曲後の第一方向側延出部５１ａの延在方向を周方向他方側Ｃ２に屈曲するための屈曲部である。そして、第一方向側延出部５１ａにおける第四周方向屈曲部７４より先端側部分に、径方向内側Ｒ１を向く接合面３１が形成されている。本実施形態では、第四周方向屈曲部７４は、当該第四周方向屈曲部７４より接合部３０側部分の延在方向が軸方向Ｌに平行な方向となるように形成されている。
【００５６】
そして、第三周方向屈曲部７３と第四周方向屈曲部７４との間に、径方向Ｒにおけるいずれか一方側から見て、周方向一方側Ｃ１に向かうに従って軸方向他方側Ｌ２へ向かう直線状の第一方向側周方向延在部５４ｃが形成されている。第一方向側周方向延在部５４ｃの周方向Ｃ長さは、スロット３の配設ピッチの３倍程度とされている。また、本実施形態では、第一方向側周方向延在部５４ｃは、軸方向Ｌにおけるいずれか一方側から見て円弧状に形成されているが、軸方向Ｌにおけるいずれか一方側から見た形状を直線状（折れ線状を含む）とすることも可能である。
【００５７】
そして、第一方向側周方向延在部５４ｃは、第二オフセット屈曲部９４により、当該第一方向側延出部５１ａの延出元の導体辺部５０（本例では、第一層に配置されている導体辺部５０）に対して径方向外側Ｒ２にオフセットされ、当該導体辺部５０に対して径方向外側Ｒ２に位置する。本実施形態では、上記のように、第二オフセット屈曲部９４の径方向Ｒに沿ったオフセット幅は線状導体幅と同一の値に設定されている。よって、第一方向側周方向延在部５４ｃは、第一層に配置されている導体辺部５０に対して線状導体幅分だけ径方向外側Ｒ２に配置される。
【００５８】
一方、同層配置セグメント導体４０ａの第二方向側延出部５１ｂは、第五周方向屈曲部７５と、第六周方向屈曲部７６と、第二方向側周方向延在部５４ｄとを備えている。第五周方向屈曲部７５は、第二方向側延出部５１ｂの延出元の導体辺部５０との境界部から接合部３０に向かうに従って、第二方向側延出部５１ｂの延在方向を軸方向他方側Ｌ２を向いた状態から周方向他方側Ｃ２に屈曲するための屈曲部である。第六周方向屈曲部７６は、第五周方向屈曲部７５にて屈曲後の第二方向側延出部５１ｂの延在方向を周方向一方側Ｃ１に屈曲するための屈曲部である。そして、第二方向側延出部５１ｂにおける第六周方向屈曲部７６より先端側部分に、径方向外側Ｒ２を向く接合面３１が形成されている。本実施形態では、第六周方向屈曲部７６は、当該第六周方向屈曲部７６より接合部３０側部分の延在方向が軸方向Ｌに平行な方向となるように形成されている。
【００５９】
そして、第五周方向屈曲部７５と第六周方向屈曲部７６との間に、径方向Ｒにおけるいずれか一方側から見て、周方向他方側Ｃ２に向かうに従って軸方向他方側Ｌ２へ向かう直線状の第二方向側周方向延在部５４ｄが形成されている。第二方向側周方向延在部５４ｄの周方向Ｃ長さは、スロット３の配設ピッチの３倍程度とされている。なお、本実施形態では、第二方向側周方向延在部５４ｄは、軸方向Ｌにおけるいずれか一方側から見て円弧状に形成されているが、軸方向Ｌにおけるいずれか一方側から見た形状を直線状（折れ線状を含む）とすることも可能である。
【００６０】
以上のように、接合渡り部５３を構成する一対の延出部５１の内の一方である第一方向側延出部５１ａにおける先端側部分（正確には、第二オフセット屈曲部９４よりも接合部３０側部分）は、第一層に配置されている導体辺部５０に対して線状導体幅分だけ径方向外側Ｒ２に配置されている。一方、接合渡り部５３を構成する一対の延出部５１の内の他方である第二方向側延出部５１ｂは、第一層に配置されている導体辺部５０と同一の径方向Ｒ位置に配置されている。そして、第一方向側延出部５１ａの先端部に形成された径方向内側Ｒ１を向く接合面３１と、第二方向側延出部５１ｂの先端部に形成された径方向外側Ｒ２を向く接合面３１とが接合されることで、接合部３０が形成されている。このように、本実施形態では、同層配置セグメント導体４０ａが備える第一方向側延出部５１ａと、当該同層配置セグメント導体４０ａと導体辺部５０が同じ径方向Ｒ位置に配置されるとともに同相の相コイル２５を構成する同層配置セグメント導体４０ａが備える第二方向側延出部５１ｂと、のそれぞれの接合面３０同士が互いに径方向Ｒに対向して接合されることで、各相の第一層コイル２１（第一波巻コイル６１）が形成されている。言い換えれば、同層配置セグメント導体４０ａの第一方向側延出部５１ａと、同相の相コイル２５における他の同層配置セグメント導体４０ａの第二方向側延出部５１ｂと、のそれぞれの接合面同士が互いに径方向Ｒに対向して接合されることで、各相の第一層コイル２１（第一波巻コイル６１）が形成されている。
【００６１】
なお、第一方向側周方向延在部５４ｃと、第二方向側周方向延在部５４ｄとは、周方向Ｃ長さが互いに等しく（本例では、スロット３の配設ピッチの３倍程度）なっている。よって、本実施形態では、第一方向側延出部５１ａの先端部と第二方向側延出部５１ｂの先端部とを接合してなる接合部３０は、接合渡り部５３における周方向Ｃ中央位置に配置される。
【００６２】
上記のように構成された接合渡り部５３を備えることで、第一方向側延出部５１ａにおける第二オフセット屈曲部９４から接合部３０までの、第一方向側周方向延在部５４ｃの全体を含む領域は、第二方向側延出部５１ｂに対して線状導体幅以上のオフセット幅（本例では、線状導体幅に等しい）だけ径方向外側Ｒ２にオフセットされて配置されることになる。ここで、このように径方向外側Ｒ２にオフセットされて配置される第一方向側延出部５１ａにおける当該領域を、第二オフセット領域９１とする。本実施形態では、第一方向側周方向延在部５４ｃの全体が、第二オフセット領域９１とされている。そして、各相コイル２５を構成する同層配置セグメント導体４０ａの第一方向側延出部５１ａが備える第二オフセット領域９１は、当該同層配置セグメント導体４０ａと導体辺部５０が同じ径方向Ｒ位置に配置されるとともに他相の相コイル２５を構成する同層配置セグメント導体４０ａの第二方向側延出部５１ｂに対して径方向外側Ｒ２にオフセットされて配置される領域である。言い換えれば、各相コイル２５の同層配置セグメント導体４０ａの第一方向側延出部５１ａは、各相コイル２５の同層配置セグメント導体４０ａの第二方向側延出部５１ｂに対して径方向外側にオフセットする第二オフセット領域９１を備えている。本実施形態ででは、第二オフセット領域９１が、本発明における「第一方向側延出部が備えるオフセット領域」に相当する。
【００６３】
図８に示すように、径方向Ｒにおけるいずれか一方側から見て、互いに異なる相の相コイル２５を構成する接合渡り部５３同士が重なる部分において、一方の接合渡り部５３における第一方向側周方向延在部５４ｃと、他方の接合渡り部５３における第二方向側周方向延在部５４ｄとが重なるように配置されている。すなわち、各相コイル２５を構成する同層配置セグメント導体４０ａは、径方向Ｒにおけるいずれか一方側から見て、第二オフセット領域９１が、当該同層配置セグメント導体４０ａと導体辺部５０が同じ径方向Ｒ位置に配置されるとともに他相の相コイル２５を構成する同層配置セグメント導体４０ａの第二方向側周方向延在部５４ｄに対して交差するように配置されている。言い換えれば、各相コイル２５の同層配置セグメント導体４０ａの第一方向側延出部５１ａは、第二オフセット領域９１で他相の相コイル２５における同層配置セグメント導体４０ａの第二方向側延出部５１ｂに対して周方向Ｃに重複して配置されている。より具体的には、各相コイル２５の同層配置セグメント導体４０ａは、第一方向側周方向延在部５４ｃにおける第二オフセット領域９１が、径方向Ｒにおけるいずれか一方側から見て、他相の相コイル２５における同層配置セグメント導体４０ａの第二方向側周方向延在部５４ｄに対して交差するように配置されている。これにより、各相コイル２５を構成する同層配置セグメント導体４０ａの第一方向側延出部５１ａが、当該同層配置セグメント導体４０ａと導体辺部５０が同じ径方向Ｒ位置（本例では第一層）に配置されるとともに他相の相コイル２５を構成する同層配置セグメント導体４０ａの第二方向側延出部５１ｂに対して周方向Ｃに重複して配置される構成において、相毎に異なる形状の相コイル２５を用いることなく、互いに異なる相の接合渡り部５３同士が互いに干渉することを抑制しつつ、第一層コイル２１を構成する各相の同層配置セグメント導体４０ａの導体辺部５０を第一層に配置することが可能となっている。
【００６４】
以上のように、一対の延出部５１ａ、５１ｂを接合してなる接合渡り部５３は、変向オフセット屈曲部９２に代えて接合部３０を備えているという点を除いて、連続渡り部５２とほぼ同じ構成となっている。よって、ここでは説明は省略するが、連続渡り部５２と同様、第二層コイル２２や第三層コイル２３に影響を与えることなく、第一層コイル２１の接合渡り部５３を適切に配置することが可能となっている。また、同層配置セグメント導体４０ａとして同じ構成のものを用いつつ、互いに同一の層に配置される同じ相の同層配置セグメント導体４０ａが形成する接合渡り部５３同士の干渉を抑制することも可能となっている。
【００６５】
２−４．第二層コイル及び第三層コイル
次に、第二層コイル２２及び第三層コイル２３の構成について、図９から図１１に基づいて詳細に説明する。本実施形態では、第二層コイル２２と第三層コイル２３とは、第二波巻コイル６２を備えて一体的に構成されている。第二波巻コイル６２は、第二層及び第三層の２つの層に跨って配置されるコイルである。本実施形態では、図９に示すように、互いに周方向Ｃに１スロット分ずらした位置関係で配置される一対の第二波巻コイル６２と、当該一対の第二波巻コイル６２を周方向Ｃに１磁極ピッチ（６スロット分）ずらした位置関係で配置される一対の第二波巻コイル６２との合計４つの第二波巻コイル６２の組が、第二層コイル２２及び第三層コイル２３が備える１つの相コイル２５を構成している。なお、図９においては、第二波巻コイル６２の構成の理解を容易にすべく、１つの第二波巻コイル６２を強調して表している。
【００６６】
そして、図１１に示すように、図９に示す４つの第二波巻コイル６２の組を周方向一方側Ｃ１に４スロット分及び８スロット分ずらした位置関係で配置される４つの波巻コイル６２の組のそれぞれが、第二層コイル２２及び第三層コイル２３が備える別の２つの相の相コイル２５を構成している。なお、第二層コイル２２及び第三層コイル２３を構成する第二波巻コイル６２のそれぞれは、ステータコア２に対する周方向Ｃ位置が異なるものの互いに同様の構成を有しているため、以下では、必要な場合を除き、これらを区別することなく説明する。
【００６７】
第二波巻コイル６２は、図９に示すように、第一波巻コイル６１と同様、周方向Ｃに沿って２磁極ピッチに相当する間隔毎に配置された複数（本例では１ターンにつき４つ）のセグメント導体４０を用いて波巻状に形成されたコイルであり、全体的な構成は第一波巻コイル６１と同様とされている。第二波巻コイル６２の第一波巻コイル６１との大きな相違点は、第二波巻コイル６２が同層配置セグメント導体４０ａではなく隣接層配置セグメント導体４０ｂを用いて構成されていることである。以下では、この相違点を中心に詳細に説明するが、特に説明しない点については、第一波巻コイル６１と同様とする。
【００６８】
上記のように、第二波巻コイル６２は、隣接層配置セグメント導体４０ｂを用いて構成されている。隣接層配置セグメント導体４０ｂは、一対の導体辺部５０が異なるスロット３内において互いに隣接する層となるように配置されるセグメント導体４０であり、本実施形態では、隣接層配置セグメント導体４０ｂの一対の導体辺部５０は、各スロット３内における最も径方向外側の層以外の層（本例では、第二層及び第三層）に配置されている。具体的には、隣接層配置セグメント導体４０ｂが備える一対の導体辺部５０は、図９及び図１０に示すように、周方向一方側Ｃ１の導体辺部５０が第二層に配置され、周方向他方側Ｃ２の導体辺部５０が第三層に配置されている。また、隣接層配置セグメント導体４０ｂが備える一対の導体辺部５０は、スロット３の配設ピッチの６倍に相当する距離だけ互いに周方向Ｃに離間した一対のスロット３にそれぞれ配置されている。
【００６９】
隣接層配置セグメント導体４０ｂの連続渡り部５２について説明する。隣接層配置セグメント導体４０ｂの渡り部一方部分５２ａは、図９に示すように、第一周方向屈曲部７１と、一方側周方向延在部５４ａと、を備えている。また、隣接層配置セグメント導体４０ｂの渡り部他方部分５２ｂは、第二周方向屈曲部７２と、他方側周方向延在部５４ｂと、を備えている。なお、隣接層配置セグメント導体４０ｂの一対の導体辺部５０は、異なるスロット３内において互いに隣接する層となるように配置されているため、図１０にも示すように、隣接層配置セグメント導体４０ｂの渡り部一方部分５２ａは、隣接層配置セグメント導体４０ｂの渡り部他方部分５２ｂに対して線状導体幅分だけ径方向外側Ｒ２に位置する。そのため、同層配置セグメント導体４０ａのように第一オフセット屈曲部９３を備えなくとも、図１１に示すように、径方向Ｒにおけるいずれか一方側から見て、互いに異なる相の相コイル２５を構成する連続渡り部５２同士が重なる部分において、一方の連続渡り部５２の一方側周方向延在部５４ａと、他方の連続渡り部５２の他方側周方向延在部５４ｂとが重なるように配置するだけで、互いに異なる相の連続渡り部５２同士が互いに干渉することを抑制しつつ、第二層コイル２２及び第三層コイル２３を構成する各相の隣接層配置セグメント導体４０ｂの導体辺部５０を第二層及び第三層に配置することが可能となっている。なお、図１に示すように、本実施形態では、第二層コイル２２及び第三層コイル２３が備える変向オフセット屈曲部９２は、第一層コイル２１が備える変向オフセット屈曲部９２よりも軸方向他方側Ｌ２に位置している。
【００７０】
次に、隣接層配置セグメント導体４０ｂの接合渡り部５３について説明する。隣接層配置セグメント導体４０ｂの第一方向側延出部５１ａは、図９に示すように、第三周方向屈曲部７３と、第四周方向屈曲部７４と、第一方向側周方向延在部５４ｃと、を備えている。また、隣接層配置セグメント導体４０ｂの第二方向側延出部５１ｂは、第五周方向屈曲部７５と、第六周方向屈曲部７６と、第二方向側周方向延在部５４ｄと、を備えている。そして、隣接層配置セグメント導体４０ｂの一対の導体辺部５０は、異なるスロット３内において互いに隣接する層となるように配置されているため、隣接層配置セグメント導体４０ｂの第一方向側延出部５４ｃは、隣接層配置セグメント導体４０ｂの第二方向側延出部５４ｄに対して線状導体幅分だけ径方向外側Ｒ２に位置する。そのため、同層配置セグメント導体４０ａのように第二オフセット屈曲部９４を備えなくとも、図１１に示すように、径方向Ｒにおけるいずれか一方側から見て、互いに異なる相の相コイル２５を構成する接合渡り部５３同士が重なる部分において、一方の接合渡り部５３における第一方向側周方向延在部５４ｃと、他方の接合渡り部５３における第二方向側周方向延在部５４ｄとが重なるように配置するだけで、互いに異なる相の接合渡り部５３同士が互いに干渉することを抑制しつつ、第二層コイル２２及び第三層コイル２３を構成する各相の隣接層配置セグメント導体４０ｂの導体辺部５０を第二層及び第三層に配置することが可能となっている。なお、図１に示すように、本実施形態では、第二層コイル２２及び第三層コイル２３が備える接合部３０は、第一層コイル２１が備える接合部３０と同じ軸方向Ｌ位置に位置している。
【００７１】
３．その他の実施形態
（１）上記の実施形態では、第一層コイル２１を構成する各相の相コイル２５が、図４に示すような周方向Ｃ位置関係でステータコア２に対して配置される場合を例として説明した。しかし、本発明の実施形態はこれに限定されるものではない。例えば、図１２に示すような周方向Ｃ位置関係で、第一層コイル２１を構成する各相の相コイル２５をステータコア２に対して配置する構成とすることも、本発明の好適な実施形態の一つである。図１２に示す例では、図６に示す一対の第一波巻コイル６１の組（以下、この段落において単に「当該波巻コイル組」という。）と、当該波巻コイル組を周方向一方側Ｃ１に２スロット分ずらした位置関係で配置される一対の第一波巻コイル６１の組と、当該波巻コイル組を周方向一方側に４スロット分ずらした位置関係で配置される一対の第一波巻コイル６１の組とが、第一層コイル２１が備える各相の相コイル２５を構成している。なお、図１２を図４と比較すると明らかなように、本構成では、径方向一方側から見て１つの一方側周方向延在部５４ａに対して交差する他方側周方向延在部５４ｂの個数が大きくなる部分があるが、一方側周方向延在部５４ａの全体が第一オフセット領域９０とされているため、図１２のような構成を採用することが可能となっている。
【００７２】
（２）上記の実施形態では、変向オフセット屈曲部９２が、線状導体の中心線の軌跡が螺旋状となる形状を備えている場合を例として説明した。しかし、本発明の実施形態はこれに限定されるものではなく、例えば、変向オフセット屈曲部９２を、図１３及び図１４に示すように形成することも可能である。このような変向オフセット屈曲部９２は例えばプレス加工で形成することができ、上記実施形態とは異なり、一方側周方向延出部５４ａにおいて軸方向一方側Ｌ１に面する線状導体の表面は、他方側周方向延出部５４ｂにおいても軸方向一方側Ｌ１に面する。
【００７３】
（３）上記の実施形態では、第一オフセット屈曲部９３が、渡り部一方部分５２ａの周方向一方側Ｃ１に接続されている導体辺部５０と同じ周方向Ｃ位置に形成されている場合を例として説明した。しかし、本発明の実施形態はこれに限定されるものではなく、第一オフセット屈曲部９３を渡り部一方部分５２ａが備える一方側周方向延在部５４ａに形成する構成とすることも可能である。このような構成においては、上記の実施形態とは異なり、一方側周方向延在部５４ａの一部（第一オフセット屈曲部９３から変向オフセット屈曲部９２までの部分）が、第一オフセット領域９０となる。また、上記の実施形態では、第一オフセット屈曲部９３のオフセット幅が線状導体幅と同じ値に設定されている場合を例として説明したが、第一オフセット屈曲部９３のオフセット幅は、線状導体幅以上の任意の値に設定することができ、例えば、線状導体幅の１．５倍や２倍の値とすることができる。また、第一オフセット屈曲部９３のオフセット幅を、必要な絶縁距離に応じて定めたり、絶縁シートが装着される場合には当該絶縁シートの径方向Ｒ幅にも応じて定める構成としたりすることができる。例えば、第一オフセット屈曲部９３のオフセット幅を、線状導体幅と絶縁シートの径方向Ｒ幅との和に設定することができる。
【００７４】
（４）上記の実施形態では、第二オフセット屈曲部９４が、第一方向側延出部５１ａの延出元の導体辺部５０と同じ周方向Ｃ位置に形成されている場合を例として説明した。しかし、本発明の実施形態はこれに限定されるものではなく、第二オフセット屈曲部９４を第一方向側延出部５１ａが備える第一方向側周方向延在部５４ｃに形成する構成とすることも可能である。このような構成においては、上記の実施形態とは異なり、第一方向側周方向延在部５４ｃの一部（第二オフセット屈曲部９４から接合部３０までの部分）が、第二オフセット領域９１となる。また、上記の実施形態では、第二オフセット屈曲部９４のオフセット幅が線状導体幅と同じ値に設定されている場合を例として説明したが、第二オフセット屈曲部９４のオフセット幅は、線状導体幅以上の任意の値に設定することができ、例えば、線状導体幅の１．５倍や２倍の値とすることができる。また、第二オフセット屈曲部９４のオフセット幅を、必要な絶縁距離に応じて定めたり、絶縁シートが装着される場合には当該絶縁シートの径方向Ｒ幅にも応じて定める構成としたりすることができる。例えば、第二オフセット屈曲部９４のオフセット幅を、線状導体幅と絶縁シートの径方向Ｒ幅との和に設定することができる。
【００７５】
（５）上記の実施形態では、コイル２０が、各スロット３内において導体辺部５０が径方向Ｒに３個配列された３層巻構造である場合を例として説明した。しかし、本発明の実施形態はこれに限定されるものではなく、コイル２０が、各スロット３内において導体辺部５０が３以外の奇数個（例えば、１個、５個、７個等）配置された奇数層巻構造（例えば、１層巻構造、５層巻構造、７層巻構造等）である構成とすることもできる。また、コイル２０が奇数層巻構造である場合において、ある１つの層のみ（例えば、第一層のみ）の層コイルを同層配置セグメント４０ａを用いて構成し、それ以外の全ての層の層コイルを隣接層配置セグメント導体４０ｂのような同層配置セグメント導体４０ａ以外のセグメント導体４０を用いて構成しても良いし、全ての層の層コイルを同層配置セグメント導体４０ａを用いて構成することもできる。なお、全ての層の層コイルを同層配置セグメント導体４０ａを用いて構成する場合には、例えば、少なくとも最も径方向界磁側の層以外の層に配置される同層配置セグメント導体４０ａについて、渡り部一方部分５２ａが渡り部他方部分５２ｂに対して径方向反界磁側にオフセットされた状態を維持しつつ、連続渡り部５２の全体を導体辺部５０に対して径方向反界磁側にオフセットさせることで、各層に配置された同層配置セグメント導体４０ａの連続渡り部５２を適切に配置することができる。
【００７６】
（６）上記の実施形態では、コイル２０が、各スロット３内において導体辺部５０が径方向Ｒに奇数個配列された奇数層巻構造である場合を例として説明したが、コイル２０を、各スロット３内において導体辺部５０が径方向Ｒに偶数個配列された偶数層巻構造として構成することも当然に可能である。このような構成において、全ての層の層コイルを同層配置セグメント導体４０ａを用いて構成しても良いし、一部の層（例えば、第一層のみや、第一層及び第二層のみ）の層コイルを同層配置セグメント導体４０ａで構成し、残りの層の層コイルを隣接層配置セグメント導体４０ｂのような同層配置セグメント導体４０ａ以外のセグメント導体４０を用いて構成しても良い。
【００７７】
（７）上記の実施形態では、一方側周方向延在部５４ａが、径方向Ｒにおけるいずれか一方側から見て、周方向他方側Ｃ２へ向かうに従って軸方向一方側Ｌ１へ向かう直線状に形成され、他方側周方向延在部５４ｂが、径方向Ｒにおけるいずれか一方側から見て、周方向一方側Ｃ１へ向かうに従って軸方向一方側Ｌ１へ向かう直線状に形成されている場合を例として説明した。しかし、本発明の実施形態はこれに限定されるものではなく、一方側周方向延在部５４ａや他方側周方向延在部５４ｂを、径方向Ｒにおけるいずれか一方側から見て、周方向Ｃに沿った直線状に形成することもできる。
【００７８】
（８）上記の実施形態では、連続渡り部５２における渡り部一方部分５２ａと渡り部他方部分５２ｂとの境界を定めるとともに、変向オフセット屈曲部９２の形成位置でもある連続渡り部５２の周方向中間位置が、連続渡り部５２の周方向中央位置である場合を例として説明した。しかし、本発明の実施形態はこれに限定されるものではなく、当該周方向中間位置を、連続渡り部５２の周方向中央位置に対して周方向一方側Ｃ１或いは周方向他方側Ｃ２に設定することも可能である。このような構成では、変向オフセット屈曲部９２は、連続渡り部５２の周方向中央位置以外の周方向中間位置に形成され、一方側周方向延在部５４ａと他方側周方向延在部５４ｂとは、周方向Ｃ長さが互いに異なるものとなる。
【００７９】
（９）上記の実施形態では、接合部３０が、接合渡り部５３における周方向Ｃ中央位置に配置されている場合を例として説明した。しかし、本発明の実施形態はこれに限定されるものではなく、接合部３０を、接合渡り部５３における周方向Ｃ中央位置以外の周方向Ｃ位置に配置される構成とすることもできる。このような構成では、第一方向側周方向延在部５４ｃと、第二方向側周方向延在部５４ｄとは、周方向Ｃ長さが互いに異なるものとなる。
【００８０】
（１０）上記の実施形態では、第一方向側延出部５１ａと第二方向側延出部５１ｂとのそれぞれの接合面３１同士が互いに径方向Ｒに対向して接合される場合を例として説明したが、第一方向側延出部５１ａと第二方向側延出部５１ｂとのそれぞれの接合面３１同士が互いに周方向Ｃに対向して接合される構成とすることもできる。
【００８１】
（１１）上記の実施形態では、周方向第一方向側が周方向他方側Ｃ２と一致し、周方向第二方向側が周方向一方側Ｃ１と一致する場合を例として説明した。しかし、本発明の実施形態はこれに限定されるものではなく、周方向第一方向側が周方向一方側Ｃ１と一致し、周方向第二方向側が周方向他方側Ｃ２と一致する構成とすることも、本発明の好適な実施形態の一つである。この構成では、上記の実施形態とは異なり、同層配置セグメント導体４０ａが備える一対の導体辺部５０の内の周方向一方側Ｃ１の導体辺部５０に第一オフセット屈曲部９３が形成され、周方向他方側Ｃ２の導体辺部５０に第二オフセット屈曲部９４が形成される。
【００８２】
（１２）上記の実施形態では、第一層以外の層（第二層及び第三層）のコイルも波巻コイルである場合を例として説明した。しかし、本発明の実施形態はこれに限定されるものではなく、第一層以外の層のコイルを重ね巻コイルや同心巻コイルとすることも可能である。また、第一層以外の層のコイルを、異なるスロット３内における互いに２層以上異なる層に一対の導体辺部５０がそれぞれ配置されるセグメント導体４０を用いて構成することもできる。
【００８３】
（１３）上記の実施形態では、セグメント導体４０を構成する線状導体の、延在方向に直交する断面における断面形状が矩形状である場合を例として説明した。しかし、本発明の実施形態はこれに限定されるものではなく、当該断面形状が、円形状、楕円形状、正方形状、多角形状等の線状導体を用いることができる。
【００８４】
（１４）上記の実施形態では、ステータ１が、径方向内側Ｒ１に界磁としてのロータが配置されるインナーロータ型の回転電機のステータである場合を例として説明した。しかし、本発明の実施形態はこれに限定されるものではなく、ステータ１を、径方向外側Ｒ２に界磁としてのロータが配置されるアウターロータ型の回転電機のステータとして構成することも、本発明の好適な実施形態の一つである。このような構成では、径方向内側Ｒ１及び径方向外側Ｒ２が、それぞれ、本発明における「径方向反界磁側」及び「径方向界磁側」となる。
【００８５】
（１５）上記の実施形態では、図１に示すように、周方向一方側Ｃ１が、ステータ１（ステータコア２）を軸方向一方側Ｌ１から見た場合における時計回り方向側と一致し、周方向他方側Ｃ２が、ステータ１（ステータコア２）を軸方向一方側Ｌ１から見た場合における反時計回り方向側と一致する場合を例として説明したが、周方向一方側Ｃ１と周方向他方側Ｃ２とを逆にすることも当然に可能である。
【産業上の利用可能性】
【００８６】
本発明は、円筒状のコア基準面の軸方向に延びるスロットが当該コア基準面の周方向に複数分散配置されてなる電機子コアと、電機子コアに巻装されるコイルと、を備え、界磁に対してコア基準面の径方向に対向配置されて当該界磁とともに回転電機を構成する回転電機用電機子に好適に利用することができる。
【符号の説明】
【００８７】
１：ステータ（回転電機用電機子）
２：ステータコア（電機子コア）
３：スロット
３ａ：スロット底面
２０：コイル
２５：相コイル
３１：接合面
４０：セグメント導体
４０ａ：同層配置セグメント導体
４０ｂ：隣接層配置セグメント導体
５０：導体辺部
５１：延出部
５１ａ：第一方向側延出部
５１ｂ：第二方向側延出部
５２：連続渡り部
５２ａ：渡り部一方部分
５２ｂ：渡り部他方部分
５３：接合渡り部
５４ａ：一方側周方向延在部
５４ｂ：他方側周方向延在部
５４ｃ：第一方向側周方向延在部
５４ｄ：第二方向側周方向延在部
６１：第一波巻コイル（波巻状コイル部）
９０：第一オフセット領域（オフセット領域）
９１：第二オフセット領域（オフセット領域）
９２：変向オフセット屈曲部
９３：第一オフセット屈曲部（オフセット屈曲部）
Ｌ：軸方向
Ｃ：周方向
Ｃ１：周方向一方側（周方向第二方向側）
Ｃ２：周方向他方側（周方向第一方向側）
Ｒ：径方向
Ｒ１：径方向内側（径方向界磁側）
Ｒ２：径方向外側（径方向反界磁側）
【図１】
2011193600.tif 000003
【図２】
2011193600.tif 000004
【図３】
2011193600.tif 000005
【図４】
2011193600.tif 000006
【図５】
2011193600.tif 000007
【図６】
2011193600.tif 000008
【図７】
2011193600.tif 000009
【図８】
2011193600.tif 000010
【図９】
2011193600.tif 000011
【図１０】
2011193600.tif 000012
【図１１】
2011193600.tif 000013
【図１２】
2011193600.tif 000014
【図１３】
2011193600.tif 000015
【図１４】
2011193600.tif 000016